(57)【要約】【課題】光ファイバケーブルの障害点を特定するのに掛かる時間を短縮させることができる光ファイバ障害点特定システムを提供すること。【解決手段】光ファイバケーブル１０の一端から障害点までの距離を検出する光パルス試験器２と、障害点までの距離に基づいて障害点の地理的位置及び高さを特定する障害点位置特定装置３と、障害点の地理的位置及び高さの情報と自装置の地理的位置及び高さ、姿勢の情報に基づいて、カメラ４２の撮像範囲内に障害点が入っているときは、カメラ４２の撮像した画像の対応する位置に障害点を示すアイコンを表示した画像を表示部４３に表示する障害点表示装置４と、を備える。【選択図】図１
2018066698.tif 000002
【特許請求の範囲】
【請求項１】
光ファイバケーブル（１０）の一端から障害点までの距離を検出する光パルス試験器（２）と、
前記障害点までの距離に基づいて、当該距離に対応する敷設情報を用いて前記障害点の地理的位置及び高さを特定する障害点位置特定装置（３）と、
前記障害点の地理的位置及び高さの情報と自装置の地理的位置及び高さ、姿勢の情報に基づいて、カメラ（４２）の撮像範囲内に前記障害点が入っているときは、前記カメラの撮像した画像の対応する位置に前記障害点を示す画像を加えた画像を表示部（４３）に表示する障害点表示装置（４）と、を備える光ファイバ障害点特定システム。
【請求項２】
前記障害点表示装置は、前記カメラの撮像範囲内に前記障害点が入っていないときは、前記カメラの撮像した画像に前記障害点の在る方向を示す画像を加えた画像を前記表示部に表示する請求項１に記載の光ファイバ障害点特定システム。
【請求項３】
前記障害点表示装置は、無線通信部（４５）を備え、前記無線通信部を介して前記障害点位置特定装置から前記障害点の地理的位置及び高さの情報を取得する請求項１または請求項２に記載の光ファイバ障害点特定システム。
【請求項４】
光ファイバケーブルの一端から障害点までの距離を検出するステップと、
前記障害点までの距離に基づいて、当該距離に対応する敷設情報を用いて前記障害点の地理的位置及び高さを特定するステップと、
前記障害点の地理的位置及び高さの情報とカメラの撮像範囲の情報に基づいて、前記カメラの撮像範囲内に前記障害点が入っているときは、前記カメラの撮像した画像の対応する位置に前記障害点を示す画像を加えた画像を表示するステップと、を備える光ファイバ障害点特定方法。
【発明の詳細な説明】
【技術分野】
【０００１】
本発明は、敷設された光ファイバケーブルの障害点を特定する光ファイバ障害点特定システムに関する。
【背景技術】
【０００２】
光ファイバケーブルは、通信媒体の幹線系からアクセス系まで広く用いられている。アクセス系の光ファイバケーブルは、起点局から電柱などに敷設され、家庭や会社などに引き込まれている。
【０００３】
このように敷設された光ファイバケーブルでは、光ファイバケーブルの接続部の光コネクタ端面の汚れによる信号損失の増加や、生物等のダメージによる断線や信号損失の増加などの通信障害が発生する。
【０００４】
このような通信障害の障害点を特定するための装置として光パルス試験器（ＯＴＤＲ：Optical Time Domain Reflectometer）が用いられる。
【０００５】
光パルス試験器は、光ファイバケーブルの一端側から光パルスを入力し、光ファイバケーブルで散乱され入射端に戻ってくる光強度を解析することで、光ファイバケーブルの障害点までの距離を検出するものである。
【０００６】
光ファイバケーブルの障害を修理する作業者は、障害点までの距離の情報と、敷設された光ファイバケーブルの敷設図面とを元に、障害点を探索していた。
【０００７】
特許文献１には、障害発生位置までの光学的距離と、障害発生位置までの光学的距離に近い光ファイバケーブルの接続点の位置情報とから、障害発生位置の地理的位置を特定し、地図上に障害発生位置の地理的位置を表示することが記載されている。
【先行技術文献】
【特許文献】
【０００８】
【特許文献１】特許第３９９１６９６号公報
【発明の概要】
【発明が解決しようとする課題】
【０００９】
しかしながら、このような光ファイバ障害点特定システムにあっては、障害発生位置の地理的位置が地図上に表示されるが、地図上の表示では実際の障害発生位置がどこなのか把握するのが難しく、障害発生位置を特定するのに時間がかかってしまうという問題があった。
【００１０】
そこで、本発明は、光ファイバケーブルの障害点を特定するのに掛かる時間を短縮させることができる光ファイバ障害点特定システムを提供することを目的としている。
【課題を解決するための手段】
【００１１】
本発明の光ファイバ障害点特定システムは、光ファイバケーブルの一端から障害点までの距離を検出する光パルス試験器と、前記障害点までの距離に基づいて、当該距離に対応する敷設情報を用いて前記障害点の地理的位置及び高さを特定する障害点位置特定装置と、前記障害点の地理的位置及び高さの情報と自装置の地理的位置及び高さ、姿勢の情報に基づいて、カメラの撮像範囲内に前記障害点が入っているときは、前記カメラの撮像した画像の対応する位置に前記障害点を示す画像を加えた画像を表示部に表示する障害点表示装置と、を備えるものである。
【００１２】
この構成により、カメラが撮像した画像の対応する位置に障害点を示す画像が表示される。このため、光ファイバケーブルの障害点を特定するのに掛かる時間を短縮させることができる。
【００１３】
また、本発明の光ファイバ障害点特定システムにおいて、前記障害点表示装置は、前記カメラの撮像範囲内に前記障害点が入っていないときは、前記カメラの撮像した画像に前記障害点の在る方向を示す画像を加えた画像を前記表示部に表示するものである。
【００１４】
この構成により、カメラの撮像範囲に障害点が入っていないときは、障害点の在る方向を示す画像が表示される。このため、現在カメラで撮像している場所から障害点の在る方向を知ることができ、光ファイバケーブルの障害点を特定するのに掛かる時間を短縮させることができる。
【００１５】
また、本発明の光ファイバ障害点特定システムにおいて、前記障害点表示装置は、無線通信部を備え、前記無線通信部を介して前記障害点位置特定装置から前記障害点の地理的位置及び高さの情報を取得するものである。
【００１６】
この構成により、障害点の地理的位置及び高さの情報が無線で取得される。このため、障害点表示装置は、障害点位置特定装置から離れていても障害点の情報を早期に得ることができ、光ファイバケーブルの障害点を特定するのに掛かる時間を短縮させることができる。
【００１７】
また、本発明の光ファイバ障害点特定方法は、光ファイバケーブルの一端から障害点までの距離を検出するステップと、前記障害点までの距離に基づいて、当該距離に対応する敷設情報を用いて前記障害点の地理的位置及び高さを特定するステップと、前記障害点の地理的位置及び高さの情報とカメラの撮像範囲の情報に基づいて、前記カメラの撮像範囲内に前記障害点が入っているときは、前記カメラの撮像した画像の対応する位置に前記障害点を示す画像を加えた画像を表示するステップと、を備えるものである。
【００１８】
この構成により、カメラが撮像した画像の対応する位置に障害点を示す画像が表示される。このため、光ファイバケーブルの障害点を特定するのに掛かる時間を短縮させることができる。
【発明の効果】
【００１９】
本発明は、光ファイバケーブルの障害点を特定するのに掛かる時間を短縮させることができる光ファイバ障害点特定システムを提供することができる。
【図面の簡単な説明】
【００２０】
【図１】図１は、本発明の一実施形態に係る光ファイバ障害点特定システムの全体構成図である。
【図２】図２は、本発明の一実施形態に係る光ファイバ障害点特定システムの障害点の表示状態を示す図である。
【発明を実施するための形態】
【００２１】
以下、図面を参照して、本発明の実施形態に係る光ファイバ障害点特定システムについて詳細に説明する。
【００２２】
図１において、本発明の一実施形態に係る光ファイバ障害点特定システム１は、光パルス試験器２と、障害点位置特定装置３と、障害点表示装置４と、を含んで構成される。
【００２３】
光パルス試験器２は、光ファイバケーブル１０の一端から光パルスを入射し、光ファイバケーブル１０により散乱され入射端に戻ってくる光強度を解析することで光ファイバケーブル１０の障害点までの距離を算出する。
【００２４】
障害点位置特定装置３は、光パルス試験器２の算出した障害点までの距離に基づいて、障害点の地理的位置（例えば、緯度経度）や、障害点の地表からの高さなどを特定する。
【００２５】
障害点位置特定装置３は、図示しないＣＰＵ（Central Processing Unit）と、ＲＡＭ（Random Access Memory）と、ＲＯＭ（Read Only Memory）と、ハードディスク装置と、入出力ポートとを備えたコンピュータユニットによって構成されている。
【００２６】
このコンピュータユニットのＲＯＭ及びハードディスク装置には、各種制御定数や各種マップ等とともに、当該コンピュータユニットを障害点位置特定装置３として機能させるためのプログラムが記憶されている。すなわち、ＣＰＵがＲＯＭ及びハードディスク装置に記憶されたプログラムを実行することにより、当該コンピュータユニットは、障害点位置特定装置３として機能する。
【００２７】
障害点位置特定装置３は、直接、あるいはネットワークを介して光パルス試験器２と接続され、光パルス試験器２から障害点までの距離を受信する。また、障害点位置特定装置３は、光パルス試験器２から障害点までの距離を算出した光ファイバケーブル１０の識別情報を受信するようにしてもよい。
【００２８】
障害点位置特定装置３は、敷設された光ファイバケーブル１０の地理的位置や、光ファイバケーブル１０の起点局側の端部からの距離や、光ファイバケーブル１０の敷設されている地表からの高さなどの敷設情報を記憶している。障害点位置特定装置３は、敷設情報として、例えば、光ファイバケーブル１０同士を接続している接続点の地理的位置及び起点局側の端部からの距離、敷設されている地表からの高さを記憶している。
【００２９】
障害点位置特定装置３は、障害点までの距離と、敷設情報に基づいて、障害点の地理的位置と高度を特定する。障害点位置特定装置３は、例えば、障害点までの距離から障害点に隣接する接続点を特定する。障害点位置特定装置３は、障害点に隣接する接続点の位置情報から、障害点の地理的位置を特定する。また、障害点位置特定装置３は、例えば、障害点に隣接する接続点の高さの情報から、障害点の高度を特定する。
【００３０】
障害点位置特定装置３は、公衆通信ネットワーク１１０と接続され、公衆通信ネットワーク１１０を介して他の装置と通信することができるようになっている。
【００３１】
障害点表示装置４は、測位部４１と、カメラ４２と、表示部４３と、入力部４４と、無線通信部４５と、制御部４６と、を含んで構成される。
【００３２】
測位部４１は、障害点表示装置４の地理的位置や地表からの高さや姿勢（どちらの方向にどのくらい傾いているか）などを検出する。測位部４１は、例えば、ＧＰＳ（Global Positioning System）受信機や角速度センサやジャイロセンサや地磁気センサや気圧センサなどを含んで構成される。
【００３３】
カメラ４２は、所定の方向の像を画像データに変換して出力する。カメラ４２は、例えば、障害点表示装置４に固定して設けられ、障害点表示装置４の本体の姿勢を変えることで撮像する方向を変えることができるようになっている。
【００３４】
表示部４３は、カメラ４２の撮像した画像や、制御部４６が作成した画像などを表示する。表示部４３は、液晶ディスプレイ等の画像表示機器で構成される。制御部４６は、カメラ４２の出力する画像データをデジタル処理して倍率を変えたり、画像を付加したりして表示部４３に表示させることができるようになっている。
【００３５】
入力部４４は、ユーザからの操作入力を受け付ける。入力部４４は、タッチパッドやキーボードなどによって構成される。
【００３６】
無線通信部４５は、所定の無線通信方式に従って公衆無線通信ネットワーク１２０に接続することができるようになっている。制御部４６は、無線通信部４５を介して、公衆通信ネットワーク１１０に接続された障害点位置特定装置３と通信することができる。
【００３７】
制御部４６は、図示しないＣＰＵ（Central Processing Unit）と、ＲＡＭ（Random Access Memory）と、ＲＯＭ（Read Only Memory）と、ハードディスク装置と、入出力ポートとを備えたコンピュータユニットによって構成されている。
【００３８】
このコンピュータユニットのＲＯＭ及びハードディスク装置には、各種制御定数や各種マップ等とともに、当該コンピュータユニットを制御部４６として機能させるためのプログラムが記憶されている。すなわち、ＣＰＵがＲＯＭ及びハードディスク装置に記憶されたプログラムを実行することにより、当該コンピュータユニットは、制御部４６として機能する。
【００３９】
制御部４６は、入力部４４の操作により障害点表示機能が選択されると、障害点位置特定装置３から障害点の地理的位置と高さの情報を取得する。制御部４６は、例えば、自装置の地理的位置の情報を障害点位置特定装置３に送信し、自装置の位置に近い障害点の地理的位置と高度の情報を取得する。制御部４６は、所定時間毎に自装置の位置に近い障害点の情報を取得し、予め設定された距離より短い距離に障害点が存在する場合、ユーザに通知を行なうとともに一番近い障害点に対する障害点表示処理を行なうようにしてもよい。
【００４０】
制御部４６は、取得した障害点の地理的位置と高さの情報と、自装置の地理的位置や地表からの高さや姿勢の情報とに基づいて、カメラ４２の撮像している画像の範囲内に障害点が入っているか否かを判定する。
【００４１】
制御部４６は、カメラ４２の撮像している画像の範囲内に障害点が入っている場合は、対応する位置に障害点を示す画像を加えた画像を表示部４３に表示させる。制御部４６は、例えば、図２に示すように、障害点に対応する位置に障害点を示すアイコン１００を表示させる。
【００４２】
制御部４６は、例えば、自装置の地理的位置や地表からの高さや姿勢の情報に基づいてカメラ４２の撮像している方向を特定する。また、制御部４６は、カメラ４２のレンズの画角やデジタル倍率の情報に基づいてカメラ４２の撮像範囲（撮像している方向も含めた範囲）を特定する。
【００４３】
制御部４６は、例えば、特定したカメラ４２の水平方向の撮像範囲に、障害点の地理的位置が入っていて、且つ、特定したカメラ４２の垂直方向の撮像範囲に、障害点の高さが入っている場合、障害点がカメラ４２の撮像範囲に入っていると判定する。
【００４４】
制御部４６は、障害点がカメラ４２の撮像範囲に入っていると判定した場合、例えば、障害点の自装置からの方向や距離、高さの情報から、特定したカメラ４２の撮像範囲内の位置を特定し、表示部４３に表示させる画像データの対応する位置に障害点を示すアイコン１００を表示させる。
【００４５】
このような構成の光ファイバ障害点特定システム１において、光ファイバケーブル１０の障害点を特定する場合、まず、光パルス試験器２が光ファイバケーブル１０の障害点までの距離を算出する。光パルス試験器２は、算出した障害点までの距離を光ファイバケーブル１０の識別情報とともに障害点位置特定装置３に送信する。
【００４６】
障害点位置特定装置３は、光ファイバケーブル１０の識別情報と障害点までの距離に基づいて、障害点の地理的位置と高さを特定して、ハードディスク装置などの記憶装置に記憶する。
【００４７】
障害点表示装置４は、測位部４１で検出した自装置の地理的位置の情報を障害点位置特定装置３に送信して、近くにある障害点を問い合わせる。
【００４８】
障害点位置特定装置３は、障害点表示装置４から地理的位置の情報を受信すると、記憶している障害点の地理的位置の情報から障害点表示装置４に一番近い障害点の地理的位置の情報と高さを障害点表示装置４に送信する。
【００４９】
障害点表示装置４の制御部４６は、障害点の地理的位置の情報と高さを受信すると、カメラ４２を起動し、カメラ４２が撮像した画像を表示部４３に表示させるとともに、測位部４１で検出した自装置の姿勢とカメラ４２のレンズの画角とデジタル倍率とからカメラ４２の撮像範囲を特定する。
【００５０】
制御部４６は、カメラ４２の撮像範囲と障害点の地理的位置と高さの情報に基づき、障害点がカメラ４２の撮像範囲に入っているか否かを判定する。障害点がカメラ４２の撮像範囲に入っていると判定した場合、制御部４６は、カメラ４２の出力する画像データの障害点に対応する位置にアイコン１００を付加して表示部４３に表示させる。
【００５１】
なお、障害点がカメラ４２の撮像範囲に入っていないと判定した場合、制御部４６は、カメラ４２の出力する画像データに障害点の方向を示す矢印などを付加して表示部４３に表示させてもよい。
【００５２】
このように、上述の実施形態では、光ファイバケーブル１０の一端から障害点までの距離を検出する光パルス試験器２と、障害点までの距離に基づいて障害点の地理的位置及び高さを特定する障害点位置特定装置３と、障害点の地理的位置及び高さの情報と自装置の地理的位置及び高さ、姿勢の情報に基づいて、カメラ４２の撮像範囲内に障害点が入っているときは、カメラ４２の撮像した画像の対応する位置に障害点を示すアイコン１００を表示した画像を表示部４３に表示する障害点表示装置４と、を備える。
【００５３】
これにより、カメラ４２が撮像した画像の対応する位置に障害点を示すアイコン１００が表示される。このため、カメラ４２で撮像した光ファイバケーブルの画像の中に障害点の位置が表示され、光ファイバケーブルの障害点を特定するのに掛かる時間を短縮させることができる。
【００５４】
また、カメラ４２の撮像範囲内に障害点が入っていないときは、カメラ４２の撮像した画像に障害点の在る方向を示す表示をする。
【００５５】
これにより、カメラ４２で撮像している場所から障害点の在る方向を知ることができ、その方向にカメラ４２を向けることで障害点が表示されるようになり、光ファイバケーブルの障害点を特定するのに掛かる時間を短縮させることができる。
【００５６】
また、障害点表示装置４は、無線通信部４５を介して障害点位置特定装置３から障害点の地理的位置及び高さの情報を取得する。
【００５７】
これにより、障害点表示装置４は、障害点位置特定装置３から離れても障害点の情報を素早く取得することができるとともに、障害点の在る場所を自由に動き回ることができ、光ファイバケーブルの障害点を特定するのに掛かる時間を短縮させることができる。
【００５８】
本発明の実施形態を開示したが、当業者によっては本発明の範囲を逸脱することなく変更が加えられうることは明白である。すべてのこのような修正及び等価物が次の請求項に含まれることが意図されている。
【符号の説明】
【００５９】
１  光ファイバ障害点特定システム
２  光パルス試験器
３  障害点位置特定装置
４  障害点表示装置
１０  光ファイバケーブル
４２  カメラ
４３  表示部
４５  無線通信部
【図１】
2018066698.tif 000003
【図２】
2018066698.tif 000004